(57)【要約】【課題】簡易な構成で且つ簡単な制御で、トイレを使用する使用者に情報を発信できるトイレ用情報発信装置を提供する。【解決手段】本発明によるトイレ用情報発信装置１は、トイレ６内に設けられた情報発信部２ａ、２ｂと、情報発信部２ａ、２ｂに情報を供給するデータベース部３と、トイレ６内の人体Ｍを感知して感知信号を発する人体感知部４と、これらを制御する制御部５とを備えることにより、簡易な構成でトイレを使用する使用者に情報を発信できる。制御部５は、人体感知部４から感知信号を受けると、データベース部３の情報を前記情報発信部２ａ、２ｂ発信することにより、トイレを使用する使用者に情報を発信できる。【選択図】図１
2015008898.tif 000002
【特許請求の範囲】
【請求項１】
トイレ内に設けられた情報発信部と、
前記情報発信部に情報を供給するデータベース部と、
前記トイレ内の人体を感知して感知信号を発する人体感知部と、
これらを制御する制御部と、を備え、
前記制御部は、前記人体感知部から感知信号を受けると、前記データベース部の情報を前記情報発信部に発信すること、
を特徴とするトイレ用情報発信装置。
【請求項２】
請求項１に記載のトイレ用情報発信装置において、
前記トイレ内には便座型便器が設けてあり、前記情報発信部は、人体が前記便座型便器に着座した位置の人体の目線位置に設けた第１情報発信部と、人体が前記便座型便器の前に立った位置の人体の目線位置に設けた第２情報発信部とを備えること
を特徴とするトイレ用情報発信装置。
【請求項３】
請求項２に記載のトイレ用情報発信装置において、
前記人体感知部は、人体が前記便座型便器の前に立った状態と、人体が前記便座型便器に座った状態とを感知して、各状態の感知信号を発し、
前記制御部は、人体が前記便座型便器の前に立った状態にある感知信号を受けると前記データベース部の情報を前記第２情報発信部に発信し、人体が前記便座型便器に着座した状態の感知信号を受けると、前記データベース部の情報を前記第１情報発信部に発信すること
を特徴とするトイレ用情報発信装置。
【発明の詳細な説明】
【技術分野】
【０００１】
本発明は、トイレの使用者を感知すると使用者に情報を発信するトイレ用情報発信装置に関する。
【背景技術】
【０００２】
特許文献１には、トイレドアのロック状態を感知するドアセンサと、トイレの使用者が便器に着座したことを感知する着座センサとの２つのセンサを設けて、トイレ使用者がトイレに入室したときから、排便前、排便中、排便終了の各段階に応じて表示器（情報配信部）に異なる情報を表示することが開示されている。
【先行技術文献】
【特許文献】
【０００３】
【特許文献１】特許３７７３３１２号公報
【発明の概要】
【発明が解決しようとする課題】
【０００４】
しかし、特許文献１の技術では、ドアセンサ及び着座センサの２つのセンサを設けると共に、情報発信部では使用者が便器を使用する段階に応じて各段階で異なる情報を発信している為、トイレ用情報発信装置の構成が複雑で且つ制御が複雑になるという問題があった。
【０００５】
本発明の課題は、簡易な構成で且つ簡単な制御で、トイレを使用する使用者に情報を発信できるトイレ用情報発信装置を提供することである。
【課題を解決するための手段】
【０００６】
本発明は、以下のような解決手段により、前記課題を解決する。なお、理解を容易にするために、本発明の実施形態に対応する符号を付して説明するが、本発明はこれに限定されるものではない。
請求項１に記載の発明は、トイレ（６）内に設けられた情報発信部（２）と、前記情報発信部（２）に情報を供給するデータベース部（３）と、前記トイレ（６）内の人体（Ｍ）を感知して感知信号を発する人体感知部（４）と、これらを制御する制御部（５）と、を備え、前記制御部（５）は、前記人体感知部（４）から感知信号を受けると、前記データベース部（３）の情報を前記情報発信部（２）に発信すること、を特徴とするトイレ用情報発信装置（１）である。
【０００７】
請求項２に記載の発明は、請求項１に記載のトイレ用情報発信装置（１）において、前記トイレ（６）内には便座型便器（７）が設けてあり、前記情報発信部（２）は、人体（Ｍ）が前記便座型便器（７）に着座した位置の人体（Ｍ）の目線位置に設けた第１情報発信部（２ａ）と、人体（Ｍ）が前記便座型便器（７）の前に立った位置の人体（Ｍ）の目線位置に設けた第２情報発信部（２ｂ）とを備えることを特徴とするトイレ用情報発信装置（１）である。
【０００８】
請求項３に記載の発明は、請求項２に記載のトイレ用情報発信装置（１）において、前記人体感知部（４）は、人体（Ｍ）が前記便座型便器（７）の前に立った状態と、人体（Ｍ）が前記便座型便器（７）に座った状態とを感知して各状態の感知信号を発し、前記制御部（５）は、人体（Ｍ）が前記便座型便器（７）の前に立った状態にある感知信号を受けると前記データベース部（３）の情報を前記第２情報発信部（２ｂ）に発信し、人体（Ｍ）が前記便座型便器（７）に着座した状態の感知信号を受けると、前記データベース部（３）の情報を前記第１情報発信部（２ａ）に発信することを特徴とするトイレ用情報発信装置（１）である。
【発明の効果】
【０００９】
請求項１に記載の発明によれば、情報発信部と、人体感知部と、データベース部と、制御部とで構成されているから、従来技術にあるようなドアセンサや着座センサ等の複数のセンサが不要であり、従来技術に比較して簡易な構成で情報発信部に情報を発信できる。
制御部は、人体感知部からの感知信号を受けるとデータベースに収納されている情報を情報発信部に発信するだけであるから、従来技術のようなトイレ使用者の使用状況に応じた段階的な制御がないから、制御が簡単である。
【００１０】
請求項２に記載の発明によれば、請求項１に記載の効果を奏すると共に、人体が便座型便器に着座した位置の人体の目線位置に設けた第１情報発信部と、人体が便座型便器の前に立った位置の人体の目線位置に設けた第２情報発信部とを設けることにより、使用者がトイレに入室後、便座型便器を開いたり、ズボンを下ろしたりして排便の準備しているときには第２情報配信部から情報を得て、便座型便器に着座後は第１情報発信部から情報を得ることで、トイレに入室してから退出するまで、継続して配信情報を得ることができる。
【００１１】
請求項３に記載の発明によれば、請求項２に記載の効果を奏すると共に、使用者が便座型便器７に着座して使用する場合には第１情報発信部に情報を発信し、立ち位置で便座型便器を使用する場合には第２情報発信部に情報を発信することで、使用者の使用状態にかかわらず第１情報発信部と第２情報発信部との両方に情報を発信する場合に比較して、省エネルギー化を図ることができる。
【図面の簡単な説明】
【００１２】
【図１】本発明の実施形態のトイレ用情報発信装置を示す図であり、使用者が便器に着座している状態を示す図である。
【図２】本発明の実施形態のトイレ用情報発信装置を示す図であり、使用者が立ち位置で便器を使用している状態を示す図である。
【図３】本発明の実施形態のトイレ用情報発信装置における情報発信部の画面を示す図である。
【図４】本発明の実施形態のトイレ用情報発信装置における制御部の動作を示す流れ図である。
【発明を実施するための形態】
【００１３】
本発明は、簡易な構成のトイレ用情報発信装置を提供するという目的を、トイレ内に設けられた情報発信部と、トイレ内の人体を感知する人体感知部と、情報発信部に情報を提供するデータベース部と、これらを制御する制御部で構成することにより、実現した。
また、制御部の制御が簡易であるという目的を、制御部が、人体感知部から感知信号を受けると、データベース部の情報を情報発信部に発信させることにより実現した。
【００１４】
［実施形態１］
図１は、本発明の実施形態のトイレ用情報発信装置１を示す図である。
実施形態のトイレ用情報発信装置１は、第１情報発信部（情報発信部）２ａと、第２情報発信部（情報発信部）２ｂと、データベース部３と、人体感知部４と、制御部５とを備えており、トイレ６内にドア６ａから入室した使用者（人体）Ｍが、第１情報発信部２ａ及び第２情報発信部２ｂから所定の情報を受けるものである。
尚、この実施形態では、トイレ用情報発信装置１は、パチンコ遊戯場のトイレに設けられている。また、便器７は、便座型便器である。
【００１５】
第１情報発信部２ａ及び第２情報発信部２ｂは、共に同種の画像表示装置であり、図３に示すように、正面視矩形で掌サイズの表示画面に文字や画像を表示する。
図１に示すように、第１情報発信部２ａは、トイレの使用者が便器７に着座して使用するときに、着座した使用者Ｍの目線位置で、トイレ６内の一側壁面９に取り付けてある。
第２情報発信部２ｂは、図２に示すように、トイレの使用者が立ち位置で便器７を使用するときに、立ち位置にある使用者Ｍの目線位置で、トイレ内の他側壁面１０に取り付けてある。一側壁面９と他側壁面１０とは対向する壁面であり、第２情報発信部２ｂは、第１情報発信部２ａよりも高い位置に設けている。
【００１６】
データベース部３には、第１及び第２情報発信部２ａ、２ｂに供給する情報が収納されている。データベース部３は、パチンコ遊戯場を管理する管理室（又は管理センター）に設けたサーバー１１に内蔵してあり、管理室でデータベース３に収納する情報を逐次更新及び管理している。
このサーバー１１は、インターネット１２に接続してあり、インターネット１２を通じ、制御部５から配信信号を受けると制御部５を介して第１情報発信部２ａ及び第２情報発信部２ｂへ、データベース部３に蓄積されている所定の情報を配信する。
データベース３の情報は、広告や営業上のお知らせ、音楽、映画、各企業の情報等であり、この実施形態では広告の画像情報であり、表示する画像は、動画又は静止画像を所定間隔で切り替えて表示する。
【００１７】
図１及び図２に示すように、人体感知部４は、天井に設けてあり、トイレに入室した使用者（人体）Ｍを感知する。この人体感知部４は、照射した赤外線を感知する赤外線センサである。人体感知部４は、使用者Ｍを感知すると、感知信号を制御部５に発信し、感知している間は感知信号を発信し続け、使用者が人体感知部４から遠ざかる（使用者がトイレから出る）と、感知信号を停止する。
【００１８】
制御部５は、第１情報発信部２ａ、第２情報発信部２ｂ、人体感知部４に接続してあると共にインターネット１２を介してサーバー１１に接続してある。
ここで、図４を参照して、トイレ用情報発信装置１の作用を、制御部５の動作の流れを中心に説明する。
ステップＳ１で、制御部５は、人体感知部４から感知信号を受けると、ステップＳ２でインターネット１２を介してサーバー１１にアクセスし、ステップＳ３でサーバー１１のデータベース部３から受けた情報を第１情報発信部２ａ及び第２情報発信部２ｂに配信する。
制御部５は、ステップＳ３で情報配信後、ステップＳ４で人体感知部４から感知信号が継続しているか否かを判断し、感知信号が継続している場合には情報配信を継続し、人体感知信号の送信が停止した場合にはステップＳ５でサーバー１１との接続を切断し、各第１情報発信部２ａ及び第２情報発信部２ｂへの情報の配信を停止する。
【００１９】
以上説明した動作により、使用者Ｍがトイレに入室すると第１情報発信部２ａ及び第２情報発信部２ｂにデータベース３に蓄積された情報が配信され、図１に示すように、使用者Ｍが便器７に着座して便器７を使用する場合には便器７の使用中に座った状態で第１情報発信部２ａから新機パチンコ機等の情報を得ることができる。
更に、本実施形態では、第２情報発信部２ｂからも同じ情報が配信されているので、使用者がトイレ６に入室後、第２情報配信部２ｂを見ながら、便器を開いたり、ズボンを下ろしたりして排便の準備し、便器７に着座後は第１情報発信部２ａから情報を得ることで、入室から便座７に着座するまでの間は第２情報配信部２ｂで、便器７に着座後は第１情報配信部２ａで配信情報を得ることができるので、トイレ６に入室してから退出するまで、継続して配信情報を得ることができる。
また、使用者Ｍがトイレ６に入室して、図２に示すように、立ち位置で便器７に排尿する場合には、第２情報配信部２ｂを見ながら排尿することができる。
【００２０】
本実施形態によれば、簡易な構成のトイレ用情報発信装置を提供するという目的を、トイレ内に設けられた第１情報発信部２ａ及び第２情報発信部２ｂと、トイレ内の人体を感知する人体感知部４と、情報発信部に情報を提供するデータベース部３と、これらを制御する制御部５との簡単な構成でトイレ使用者Ｍが情報を得ることができる。
また、制御部５は人体感知部４から感知信号を受けると、データベース部３の情報を第１情報発信部２ａ及び第２情報発信部２ｂに発信させるという簡単制御で使用者に情報を配信することができる。
【００２１】
（変形例）
本発明は、以上説明した実施形態に限定されることなく、種々変形や変更が可能であって、それらも本発明の範囲内である。
（１）上述した実施形態において、請求項１に記載の発明の情報発信部は、第１情報発信部２ａと第２情報発信部２ｂとの２つの情報発信部を設けたが、これに限らず、第１情報発信部２ａだけを設けても良い。
また、トイレ６の便器７は、使用者が立ち位置で排尿する男性用便器として、第２情報発信部２ｂのみを設ける構成にしても良い。
更に、第１情報発信部２ａ及び第２情報発信部２ａは、画像を表示すると共に音声を流しても良い。
また、発明の情報配信部は、スピーカであり、音声や音楽の情報を配信するものであっても良いが、この場合には、情報配信部は１つとし、設置場所はトイレ内であればいずれでも良い。
【００２２】
（２）データベース部３に収納されるデータは、静止画像に限らず、動画であっても良いし、テロップで文字情報を流すデータでも良い。
【００２３】
（３）上述した実施形態において、人体感知部４は、感知する赤外線の強さに閾値を設けて、使用者Ｍが便器７に座っているときには人体感知部４から使用者が遠い位置にいるので感知する赤外線が閾値よりも小さく、使用者が立ち位置にあるときには、人体感知部４から使用者Ｍが近い位置にいるので感知する赤外線が閾値よりも大きいことを感知することにより、制御部５は、感知した赤外線の強さが閾値よりも小さい場合には、第１情報発信部２ａのみに情報を供給し、感知した赤外線の強さが閾値よりも大きい場合には、第２情報発信部２ａのみに情報を供給しても良い。この場合には、便器７に着座して使用する場合と、立ち位置で便器７を使用する場合とに分けて第１情報発信部２ａか第２情報発信部２ｂのいずれかに情報を配信することで、省エネルギー化を図ることができる。
尚、使用者Ｍが便器７に着座している場合と、便器７の前に立っていることを感知する方法としては、人体感知部４から音波を発信すると共に人体感知部４が人体Ｍから反射した音波を受けることにより、人体感知部４から使用者Ｍまでの距離を測定し、使用者Ｍが人体感知部４から遠い位置にあるか近い位置にあるかを感知するものであっても良い。
【００２４】
（４）本発明の人体感知部４は、上述した赤外線センサに限らず、発光素子と発光素子からの光を受光する受光素子とで構成し、トイレに入室した使用者Ｍが、受光素子が受ける光を遮ることで使用者の入室を感知しても良い。また、トイレ６のドア６ａにマグネットを設けてドア枠に磁気検出器を設けて磁気を検出することによりドアの開閉を感知したり、使用者が便器７に着座したときに便座に設けた機械的スイッチがＯＮ／ＯＦＦすることにより便座に使用者が着座したことを感知しても良い。また、使用者が照明のスイッチをオンしたことを感知してもよい。そして、使用者がトイレに入室したときには、第２情報発信部２ｂに情報を発信し、着座後は第２情報発信部２ｂへの情報の発信を停止して第１情報発信部２ａに情報を発信しても良い。
情報発信部は、スマートフォン位の掌サイズを例に説明したが、タブレットサイズ、又は、それよりも大型サイズであってもよい。
【００２５】
本発明のトイレ用情報発信装置１は、ゲームセンター、スーパーマーケット、映画館、電車の駅、会社、家庭等のトイレに設置するものであっても良い。
【符号の説明】
【００２６】
１      トイレ用情報発信装置
２ａ    第１情報発信部（情報発信部）
２ｂ    第２情報発信部（情報発信部）
３      データベース
４      人体感知部
５      制御部
６      トイレ
６ａ    ドア
７      便器
８      表示画面
９      一側壁面
１０    他側壁面
１１    サーバー
１２    インターネット
Ｍ      使用者（人体）
【図１】
2015008898.tif 000003
【図２】
2015008898.tif 000004
【図３】
2015008898.tif 000005
【図４】
2015008898.tif 000006